(57)【要約】【課題】従来の引戸に合わせた専用部材のブレーキ装置ではなく、既存の引戸に簡単な施工で取り付けることができる汎用性に優れた引戸のブレーキ装置を提供する。【解決手段】閉扉時には相互に当接する引戸本体の縦側当接面と引戸枠の縦枠当接面のうち、引戸本体の縦側当接面には当接面から突出し引戸本体のスライド方向と同方向にスライドする突出部と、突出部に加わる応力を吸収するダンパーと、突出部の周囲に当接面に面一に設けられた被吸着部とからなる緩衝部を設けると共に、引戸枠の縦枠当接面には前記緩衝部の被吸着部と吸着する吸着部を設けたことを特徴とする引戸のブレーキ装置。【選択図】  図６
2012067445.tif 000002
【特許請求の範囲】
【請求項１】
閉扉時には相互に当接する引戸本体の縦側当接面と引戸枠の縦枠当接面の何れか一方側には、当接面から突出し引戸本体のスライド方向と同方向にスライドする突出部と、突出部に加わる応力を吸収するダンパーと、突出部の周囲に当接面に面一に設けられた被吸着部とからなる緩衝部を設けると共に、他方側には前記緩衝部と当接する吸着部を設けたことを特徴とする引戸のブレーキ装置。
【請求項２】
引戸本体の縦側当接面に緩衝部を設け、引戸枠の縦枠当接面に吸着部を設けたことを特徴とする請求項１に記載の引戸のブレーキ装置。
【請求項３】
引戸本体の縦側当接面または引戸枠の縦枠当接面に埋設された緩衝部ベース材に緩衝部本体が螺着されていることを特徴とする請求項１または請求項２に記載の引戸のブレーキ装置。
【発明の詳細な説明】
【技術分野】
【０００１】
本発明は、簡単に施工ができ、汎用性に優れた引戸のブレーキ装置に関するものである。
【背景技術】
【０００２】
従来より、引戸を閉じる際に完全に閉じるまで扉に手を添えずに勢いを付けて閉じた場合に、扉の端面が引戸枠に衝突して衝撃音を発生すると共に、閉まりかけた扉が衝突の勢いで戻るという問題が生じていた。
【０００３】
これを解決するために、引戸用の各種のブレーキ装置が考えられており、例えば特許文献１では、引戸の戸当り側の上面又は引戸枠の上枠の戸当り側の下面の何れか一方に引戸の走行方向に沿って一対のブレーキ板が対向して配置され、他方に、上記一対のブレーキ板間に挿入されると共にブレーキ板に接触して引戸を停止させるためのブレーキ片が配置され、該ブレーキ片は、ブレーキ片の幅方向の寸法を調整する寸法調整手段を備えた引戸のブレーキ装置が開示されている。
【０００４】
このブレーキ装置によれば、引戸を戸当り側に勢い良く走行させた場合であっても、引戸を戸当りに静かにしかも確実に停止させることができ、衝撃音の発生や引戸の戻りを防止できる使い勝手の良い引戸のブレーキ装置を提供することができ、上記の問題を解決することができた。
【先行技術文献】
【特許文献】
【０００５】
【特許文献１】特開平１１−４４１４８号公報
【発明の概要】
【発明が解決しようとする課題】
【０００６】
しかし、特許文献１のブレーキ装置によれば、引戸の戸当り側の上面と引戸枠の上枠の戸当り側の下面にブレーキ装置（ブレーキ板とブレーキ片）を設けなければならないので、取り付ける際には、引戸及び引戸枠自体を専用の部材に交換する必要がありコストアップとなると共に、好みの引戸に取り付けることができないという問題点がある。
【０００７】
本発明は、かかる問題点に鑑みなされたものであり、引戸に合わせた専用部材のブレーキ装置ではなく、既存の引戸に簡単な施工で取り付けることができる汎用性に優れた引戸のブレーキ装置を提供することを目的とする。
【０００８】
上記目的を解決するために、請求項１に係る引戸のブレーキ装置の発明は、閉扉時には相互に当接する引戸本体の縦側当接面と引戸枠の縦枠当接面の何れか一方側には、当接面から突出し引戸本体のスライド方向と同方向にスライドする突出部と、突出部に加わる応力を吸収するダンパーと、突出部の周囲に当接面に面一に設けられた被吸着部とからなる緩衝部を設けると共に、他方側には前記緩衝部と当接する吸着部を設けたことを特徴とする。
【０００９】
請求項２に係る引戸のブレーキ装置の発明は、請求項１に記載の引戸本体の縦側当接面に緩衝部を設け、引戸枠の縦枠当接面に吸着部を設けたことを特徴とする。
【００１０】
請求項３に係る引戸のブレーキ装置の発明は、請求項１または請求項２に記載の引戸本体の縦側当接面または引戸枠の縦枠当接面に埋設された緩衝部ベース材に緩衝部本体が螺着されていることを特徴とする。
【発明の効果】
【００１１】
請求項１に係る発明の引戸のブレーキ装置は、閉扉時には相互に当接する引戸本体の縦側当接面と引戸枠の縦枠当接面の何れか一方側には、当接面から突出し引戸本体のスライド方向と同方向にスライドする突出部と、突出部に加わる応力を吸収するダンパーと、突出部の周囲に当接面に面一に設けられた被吸着部とからなる緩衝部を設けると共に、他方側には前記緩衝部と当接する吸着部を設けているので、引戸を勢いを付けて閉じた場合、引戸が引戸枠に衝突する際に突出部が最初に吸着部に当接し、突出部は押し込まれて引戸本体のスライド方向と同方向にスライドすると共に、突出部に接しているダンパーが連動して収縮し衝突の応力を吸収することで衝撃音の発生を防止して静かにしかも確実に引戸を停止させることができる。最終的に、吸着部と被吸着部が吸着し引戸の戻りを防止できる。
【００１２】
請求項２に係る発明では、請求項１に係る発明の引戸のブレーキ装置において、引戸本体の縦側当接面に緩衝部を設け、引戸枠の縦枠当接面に吸着部を設けたことによって、引戸枠側に突起物がなくなり通行がし易くなると共に、引戸枠の吸着部はそのままで、引戸本体の重量等に合わせた応力吸収力を有するダンパーを設けた緩衝部を予め引戸に使用することで、吸着部を共通化して部品点数を減らすことができる。
【００１３】
請求項３に係る発明は、請求項１または請求項２に記載の引戸本体の縦側当接面または引戸枠の縦枠当接面に埋設された緩衝部ベース材に緩衝部本体が螺着されているので、経年変化で引戸の摩擦力やダンパーの吸収力が変化した時に、緩衝部本体を引戸本体に埋設された緩衝部ベース材から容易に取外すことができ、ダンパーを調整することでブレーキ力を適正にする等メンテナンスを容易に行うことができる。
【図面の簡単な説明】
【００１４】
【図１】本発明の引戸の外観を示す参考図。
【図２】引戸本体の縦側当接面に設けられた緩衝部を示す正面図。
【図３】引戸本体の縦側当接面に設けられた緩衝部を示す斜視図。
【図４】引戸本体の縦側当接面に設けられた掘り込み部を示す斜視図。
【図５】引戸枠の縦枠当接面に設けられた吸着部を示す正面図。
【図６】緩衝部と吸着部の関係を示す断面図。
【発明を実施するための形態】
【００１５】
以下、本発明の実施形態について、図１から図６を用いて説明する。もちろん本発明は前記図面及び本実施形態の記載内容に限られるものではない。
【００１６】
図１は本発明の引戸の外観を示す参考図である。引戸は引戸本体３と引戸枠４とからなり、引戸本体３の縦側当接面３１には緩衝部１が設けられ、引戸枠４の縦枠当接面４１には吸着部２が設けられる。緩衝部１と吸着部２は接近すると磁石等で相互に引き合い吸着できるように閉扉時の両者が合致する位置に固定する。
【００１７】
図２、３は、それぞれ緩衝部１の正面図と斜視図であり、緩衝部１は引戸本体３の縦側当接面３１から突出部１３が突出するように設けられる。突出部１３の周囲は、被吸着部１４が縦側当接面３１とほぼ面一に設けられる。被吸着部１４は後述する吸着部本体２１（磁石からなる）と磁着するように鉄等の金属からなる。緩衝部本体１１は引戸本体３内に埋め込み固定された緩衝部ベース材１２に例えば螺着等によって固定される。
【００１８】
図４は、吸着部２の正面図であり、吸着部本体２１と吸着部ベース材２２とからなる。吸着部本体２１は磁石等からなり、閉扉時に引戸本体３が接触する側の前記緩衝部１に合致する位置に設けられる。
【００１９】
図６は緩衝部１と吸着部２を外径の中心部で切断した断面図であり、（Ａ）は緩衝部１と吸着部２が離れた状態、（Ｂ）は緩衝部１と吸着部２が相互に吸着した状態である。
【００２０】
突出部１３は内部が空洞になっておりダンパー１５の先端が突出部１３の内側に接して設けられている。引戸本体３を閉じると（図６の（Ａ）から（Ｂ））、鉄等の金属からなる突出部１３が磁石からなる吸着部本体２１と接して磁着し、衝突時の反発力によって再度引戸本体３が引戸枠４から開放することはなく、その後突出部１３が押し込まれると共にダンパー１５が収縮して引戸本体３の引戸枠４への衝突エネルギーを吸収し、衝撃音の発生を防止して静かにしかも確実に停止させることができる。
【００２１】
緩衝部１は引戸本体３の内部に縦側当接面３１から掘り込み部３２を設けて（図４）、緩衝部ベース材１２を埋設し接着剤または固定具１７（釘、ビス等）で固定する。緩衝部ベース材１２及び緩衝部本体１１には夫々螺号するねじ山を刻設してあり緩衝部本体１１を緩衝部ベース材１２に螺着することで、緩衝部１は引戸本体３に固定される。
【００２２】
吸着部２は引戸枠４の内部に縦枠当接面４１から掘り込み部４２を設けて吸着部ベース材２２を埋設して接着剤で固定すると共に、吸着部本体２１を吸着部ベース材２２に接着剤等で接着することで、吸着部２は引戸枠４に固定される。
【００２３】
緩衝部本体１１は直接引戸本体３の内部に埋設しても良いが、引戸本体３の大きさや重量等の違いによって、突出部１３が引戸枠４に衝突する際の衝突エネルギーを効率的かつ適切に吸収するために、ダンパー１５の調整や交換が容易にできるように簡単に取外すために緩衝部ベース材１２に螺着している。
【産業上の利用可能性】
【００２４】
緩衝部と吸着部を既存の引戸の引戸本体と引戸枠に固定するだけで、引戸を閉じる際に衝撃音の発生を防止して静かにしかも確実に停止させるブレーキ装置を簡単な取り付けることができる汎用性に優れた引戸を提供することができるので、極めて有用で産業上の利用可能性が高い。
【符号の説明】
【００２５】
１        緩衝部
１１        緩衝部本体
１２        緩衝部ベース材
１３        突出部
１４        被吸着部
１５        ダンパー
２        吸着部    
２１        吸着部本体              
２２        吸着部ベース材              
３        引戸本体  
３１        縦側当接面
４        引戸枠
４１        縦枠当接面    
【図１】
2012067445.tif 000003
【図２】
2012067445.tif 000004
【図３】
2012067445.tif 000005
【図４】
2012067445.tif 000006
【図５】
2012067445.tif 000007
【図６】
2012067445.tif 000008